(57)【要約】【課題】車両走行中におけるドアパネルへの飛び石の当たりを防止すると共に、見栄えの向上を図り得る車両用ドアのロアーシール構造を提供する【解決手段】ロアーシール１０は、ドア本体のインナーパネル５の下部側の内側面に沿って取り付けられた取付基部５と、該取付基部からインナーパネルの下部周縁方向へ延出して、先端部１７ｂがアウターパネル６の外周縁６ａに当接した第２シールリップ１７と、を備えている。前記第２シールリップの取付基部との結合部近傍に、前記インナーパネルの下部内側に形成された空間部１２を介して折曲変形可能な折曲部１７ｃを設け、ロアーシールをインナーパネル５にクリップ１３によって取り付けた際に、ロアーシール全体が上下方向に位置ずれが生じた場合に、前記折曲部の開閉変形によって位置ずれを吸収して第２シールリップ先端部１７ｂの突出量のばらつきを抑制する。【選択図】図１
2011152869.tif 000002
【特許請求の範囲】
【請求項１】
ドア本体のドアパネルの下部側の内側面に沿って取り付けられた取付基部と、該取付基部から前記ドアパネルの下部周縁方向へ延出して、先端部がドアパネルの周縁部に当接したシールリップと、を備えた車両用ドアのロアーシール構造であって、
前記シールリップの前記取付基部との結合部近傍に、前記ドアパネルの下部内側に形成された空間部を介して開閉方向へ変位可能な折曲部を設けたことを特徴とする車両用ドアのロアーシール構造。
【請求項２】
前記シールリップの先端部を外方へ折り曲げて係止部を形成し、前記取付基部を介してロアーシールを前記ドアパネルへ取り付けた際に、前記係止部を前記ドアパネルの外周縁に係止させたことを特徴とする請求項１に記載の車両用ドアのロアーシール構造。
【請求項３】
前記シールリップの先端部の外側面に突起部を形成し、前記取付基部を介してロアーシールを前記ドアパネルへ取り付けた際に、前記突起部を前記ドアパネルの下部周縁側の内面に係止させたことを特徴とする請求項１に記載の車両用ドアのロアーシール構造。
【発明の詳細な説明】
【技術分野】
【０００１】
本発明は、自動車用ドアのドア本体の下部内側に沿って配設されて、該ドア本体の下部内側をシールする車両用ドアのロアーシール構造に関する。
【背景技術】
【０００２】
この種の従来の車両用ドアのロアーシール構造としては、以下の特許文献１に記載したものが知られている。
【０００３】
この特許文献１に記載の車両用ドアのロアーシール構造は、車両用マッドガードとして使用されるものであって、車両の後輪の前方に近接して配置されて、ドア本体のドアパネルの後端部に沿って取り付けられた硬質樹脂材からなる板状の取付基部と、該取付基部から前記ドアパネルの端縁方向に延びる延出板部と、該延出板部の外周に一体に設けられて、先端部がドアパネルの外周縁に当接したシールリップと、から主として構成されている。
【０００４】
前記取付基部は、外側面にドアパネルに穿設された係止孔に係止するクリップ状の係止突部を一体に有している一方、前記延出板部は、前記取付基部に一体に結合されて、前記ドアパネルのインナーパネルに形成された凹部に沿って車外方向へ傾斜状に形成されている。
【０００５】
前記シールリップは、軟質なスポンジゴムによって形成されて、内方へ湾曲状に折曲形成されていると共に、その内面が、ほぼ折り返し状に折曲されたアウターパネルの外周縁に当接している。
【０００６】
これによって、車両走行中に後輪が跳ね上げた飛び石や泥がドアパネルとロアーシールとの間の隙間に飛び込むのを効果的に阻止すると共に、飛び石がドアパネルの外周縁部に当たるのを抑制して発錆を防止するようになっている。
【先行技術文献】
【特許文献】
【０００７】
【特許文献１】特開２００６−２６４３７０号公報
【発明の概要】
【発明が解決しようとする課題】
【０００８】
しかしながら、前記特許文献１に開示された従来のロアーシール構造にあっては、前記シールリップ全体が湾曲状に形成されていると共に、内方への折り曲げ点が延出板部の外端縁付近になっていることから、前記取付基部をドアパネルに取り付ける際に、前記ドアパネル(インナーパネル)の係止孔の形成位置や取付基部の係止突部の形成位置などの寸法誤差や組付誤差、さらには、ロアーシールの成形誤差などの種々の要因によって、シールリップの先端部がドアパネル(アウターパネル)の外周縁から車外方向へ大きく飛び出してしまうとか、あるいは、内側に後退して先端縁がドアパネルの外周縁に当接せずにドアパネルの外周縁部側の内面に当接してしまうおそれがある。つまり、前記寸法誤差や組付誤差などに起因してロアーシールの組付精度にばらつきが発生してシールリップの先端部の位置が変化してしまう。
【０００９】
このように、シールリップの先端部がドアパネルの外周縁から飛び出してしまう場合には、見栄えが悪化して外観品質が低下し、また、ドアパネルの外周縁よりも内側に後退した位置になってしまう場合には、露出したドアパネルの外周縁部に飛び石が当たって傷や発錆を招来する。
【００１０】
本発明は、前記従来の技術的課題に着目して案出されたものであって、車両走行中におけるドアパネルへの飛び石の当たりを防止すると共に、見栄えの向上を図り得る車両用ドアのロアーシール構造を提供することを目的としている。
【課題を解決するための手段】
【００１１】
請求項１に記載の発明は、ドア本体のドアパネルの下部側の内側面に沿って取り付けられた取付基部と、該取付基部から前記ドアパネルの下部周縁方向へ延出して、先端部がドアパネルの周縁部に当接したシールリップと、を備えた車両用ドアのロアーシール構造であって、前記シールリップの前記取付基部との結合部近傍に、前記ドアパネルの下部内側に形成された空間部を介して開閉方向へ変位可能な折曲部を設けたことしたことを特徴としている。
【００１２】
請求項２に記載の発明は、前記シールリップの先端部を外方へ折り曲げて係止部を形成し、前記取付基部を介してロアーシールを前記ドアパネルへ取り付けた際に、前記係止部を前記ドアパネルの下部周縁に係止させたことを特徴としている。
【００１３】
請求項３に記載の発明は、前記シールリップの先端部の外側面に突起部を形成し、前記取付基部を介してロアーシールを前記ドアパネルへ組み付けた際に、前記突起部を前記ドアパネルの下部周縁側の内面に係止させたことを特徴としている。
【発明の効果】
【００１４】
請求項１に記載の発明によれば、取付基部をドアパネルの所定位置に固定してドア本体にロアーシールを取り付ける際に、寸法誤差や組付誤差などによってシールリップ全体の位置が変位しようとすると、前記折曲部がドアパネル内側の空間部を介して開閉状態に変形して、つまり折曲部の折曲角度が変化して組付誤差などによるシールリップの位置のばらつきを吸収する。これによって、シールリップ先端部の突出量が変化せずに、予め定められた最適な位置に保持される。
【００１５】
この結果、シールリップ先端部が常時ドアパネル下部外周縁をほぼ均一かつ適正な突出量で覆う状態になることから、飛び石がドアパネルの外周縁部に衝突するのを効果的に抑制することができると共に、見栄えの向上を図ることができる。
【００１６】
請求項２に記載の発明によれば、請求項１に記載の発明の作用効果に加えて、ロアーシールをドアパネルに組み付けた際に、シールリップ先端部の係止部がドアパネルの外周縁を包み込むように当接しつつ係止することから、寸法誤差などが生じても前記シールリップ先端部の突出量のばらつきを抑えて、適正な突出量の位置に確実に保持することが可能になる。
【００１７】
請求項３に記載の発明によれば、請求項１に記載の発明の作用効果に加えて、ロアーシールをドアパネルに取り付けた際に、シールリップ先端部の突起部がドアパネルの外周縁部の内面に係止することから、寸法誤差などが生じても前記シールリップ先端部の突出量のばらつきをさらに十分抑制することが可能になり、ほぼ均一かつ適正な突出量の位置に確実に保持することが可能になる。
【図面の簡単な説明】
【００１８】
【図１】本発明に係るロアーシール構造の第１の実施形態を図５のＡ−Ａ線から断面して示す図である。
【図２】同ロアーシールの取り付け時における下方へのばらつきを吸収した状態を示す図５のＡ−Ａ線断面図である。
【図３】ロアーシール構造の第２の実施形態を図５のＡ−Ａ線から断面して示す図である。
【図４】ロアーシール構造の第３の実施形態を図５のＡ−Ａ線から断面して示す図である。
【図５】車両用ドアのロアーシールが取り付けられた車体ドアの概略図である。
【発明を実施するための形態】
【００１９】
以下に本発明に係る車両用ドアのロアーシール構造の各実施形態を図面に基づいて詳述する。
【００２０】
この各実施形態では、図５の破線で示すように自動車１のフロントドア２及びリアドア３の下端部に適用したものであって、図１〜図４ではフロントドア２に適用しているものを示している。
〔第１実施形態〕
具体的に説明すると、図１は本発明の第１実施形態を示し、前記フロントドア２は、それぞれの外縁部同士がヘミング結合された車内側のインナーパネル５及び車外側のアウターパネル６によって構成されるドア本体４と、前記インナーパネル５の内側外周縁の近傍に図外の車体の車体開口縁に沿ってドア全周に渡って配設されて、車室内外をシールする図外のドアウェザーストリップと、該ドアウェザーストリップよりも下方となるインナーパネル５のほぼ内側下端縁に、車両前後方向に沿って配設されて、前記ドア本体４と後述する車両のボディのサイドシル７の下端部間の隙間Ｃをシールするロアーシール１０と、を備えている。
【００２１】
一方、車両のボディは、その両側に図外の車体開口部が形成されており、該車体開口部の下方には、その開口縁の一部をなす前記サイドシル７を有している。このサイドシル７は、複数の板材が接合されてなり、図１に示すように、その最外部を構成するシルアウターパネル８が車両上下方向に平坦状の縦壁部を有している。
【００２２】
前記ドア本体４のインナーパネル５は、ドア閉時に前記シルアウターパネル８とほぼ平行となる平坦部５ａと、該平坦部５ａの下部外周側に一体に有する外周縁部５ｂとを有し、この外周縁部５ｂが車内方向へほぼく字形状に折曲形成されて、この外周縁部５ｂの内面側に断面く字形の空間部１２が形成されている。前記平坦部５ａの外周側には、後述するロアーシール１０の取付基部１５をドア本体４に取付固定するための樹脂製クリップ１３の脚部１３ａが挿通係止される係止孔１４が貫通形成されている。
【００２３】
また、前記インナーパネル５の外周部とアウターパネル６の折り返し状に折曲された外周部の端縁との段差状内面には、該段差縁に被着してシールするペイントシール１１が設けられている。
【００２４】
前記ロアーシール１０は、前記インナーパネル５の外面にクリップ１３によって取付けられる取付基部１５と、該取付基部１５の上端部に一体に設けられて、ドア閉時に先端部１６ａが前記シルアウターパネル８の外面に当接して前記隙間Ｃをシールする第１シールリップ１６と、前記取付基部１５の下端部に一体に設けられて、先端部１７ａが前記アウターパネル６の折り返し状に折曲された外周部の外周縁６ａに当接した第２シールリップ１７と、を備えている。
【００２５】
前記取付基部１５は、断面ほぼ矩形板状に形成されて、インナーパネル５の外周部に沿って長帯状に形成され、内部１５ａが硬質なソリッドゴムあるいは熱可塑性エラストマーによって成形されていると共に、外周の全体が軟質なスポンジゴムあるいは熱可塑性エラストマーによって一体に覆われている。
【００２６】
また、硬質な上端部１５ｂが、前記第１シールリップ１６側へほぼＬ字形状に折曲形成されて、該第１シールリップ１６との結合部を補強するようになっている一方、硬質な下端部１５ｃがほぼし字形状に折曲されて第２シールリップ１７との結合部を補強するようになっている。さらに、取付基部１５の前記上下幅方向のほぼ中央位置には、前記クリップ１３の脚部１３ａが挿通する挿通孔１５ｃが貫通形成されている。
【００２７】
前記第１シールリップ１６は、取付基部１５の外周と同じく材料、つまり、全体が軟質なスポンジゴムあるいは熱可塑性エラストマーによって一体に形成され、前記取付基部１５と同じくドア本体４の下端部外周に沿って延設され、前記取付基部１５の上端部１５ｂに結合された基端部から先端部１６ａまで下方へほぼ湾曲状に折曲形成されている。
【００２８】
前記第２シールリップ１７は、第１シールリップ１６と同じく全体が軟質なスポンジゴムあるいは熱可塑性エラストマーによって一体に形成されていると共に、ドア本体４の下端部外周に沿って延設されている。
【００２９】
また、この第２シールリップ１７は、前記取付基部１５の下端部１５ｃに結合された基端部１７ａ付近から車内方向へほぼく字形状に折曲形成されていると共に、該折曲部１７ｃから先端部１７ｂに渡って中央が上方へ膨出した湾曲状に折曲されている。前記先端部１７ｂは、その外面が前記アウターパネル６の外周縁６ａに当接している。
【００３０】
前記折曲部１７ｃは、折れ点が前記空間部１２側寄りに位置しており、この折曲部１７ｃの折曲角度が適宜開閉方向へ変形することによって第２シールリップ１７全体が上下に僅かに変形移動可能になっている。
【００３１】
したがって、前記ロアーシール１０を、図１に示すように、インナーパネル５に取り付ける際、つまり、クリップ１３の脚部１３ａを、取付基部１５の挿通孔１５ｃに挿通しつつインナーパネル５の係止孔１４に挿通係止することによって取付基部１５を取り付け固定する際に、前記挿通孔１５ｃや係止孔１４の位置ずれや寸法誤差、取付基部１５などの組付誤差などの種々の要因によってロアーシール１０が図中一点鎖線で示すように、基準位置から上方へ僅かに位置ずれを起こした場合には、前記折曲部１７ｃが僅かに上方へずれながら折曲角度が開く方向へ変位する。これによって、前記先端部１７ｂ側は、図示のように僅かに上方へ変位しつつ内面１７ｄが前記アウターパネル６の外周縁６ａに常時当接すると共に、ほぼ同じ位置に保持される。
【００３２】
すなわち、折曲部１７ｃの折曲角度が変化して組付誤差による第２シールリップ１７の位置のばらつきを吸収する。これによって、前記先端部１７ｂの突出量が殆ど変化せずに、予め定められた最適な位置に保持される。
【００３３】
この結果、第２シールリップ１７の先端部１７ｂが常時アウターパネル６の外周縁６ａをほぼ均一かつ適正な突出量で覆う状態になることから、飛び石がアウターパネル６の外周縁部に衝突するのを効果的に抑制することができると共に、見栄えの向上を図ることができる。
【００３４】
一方、前記ロアーシール１０の組付誤差や各孔１４、１５ｃの寸法誤差などによって、ロアーシール１０全体が、今度は図２の一点鎖線で示すように、基準位置よりも下方へ位置ずれを起こした場合には、前記折曲部１７ｃも僅かに下方にずれて空間部１２内に吸収されつつ折曲角度が閉じ方向へ変位する。これによって、前記先端部１７ｂ側は、図示のように僅かに下方へ変位しつつ内面１７ｄが前記アウターパネル６の外周縁６ａに常時当接すると共に、ほぼ同じ位置に保持される。
【００３５】
すなわち、折曲部１７ｃの折曲角度が閉じ方向へ変化して組付誤差などによる第２シールリップ１７の位置のばらつきを吸収する。これによって、前記先端部１７ｂの突出量が殆ど変化せずに、予め定められた最適な位置に保持される。
【００３６】
この結果、第２シールリップ１７の先端部１７ｂが常時アウターパネル６の外周縁６ａをほぼ均一かつ適正な突出量で覆う状態になることから、飛び石がアウターパネル６の外周縁部に衝突するのを効果的に抑制することができると共に、見栄えの向上を図ることができる。
〔第２実施形態〕
図３はロアーシール構造の第２実施形態を示し、ロアーシール１０の基本構造は第１実施形態と同様であるが、異なるところは、前記第２シールリップ１７の先端部１７ｂを、前記アウターパネル６の外周縁６ａに沿って車外方向へＬ字形状に折曲形成して係止部１７ｅを形成したものである。
【００３７】
これによって、インナーパネル５に対するロアーシール１０の取り付け時に、前記ロアーシール１０の組付誤差や各孔１４、１５ｃの寸法誤差などによって、ロアーシール１０全体が、上方あるいは下方へ位置ずれが生じたとしても、前述のように、折曲部１７ｃの開方向あるいは閉方向への変形を得て先端部１７ｂがアウターパネル６の外周縁６ａをほぼ均一かつ適正な突出量で覆う状態になる。また、これと同時に、先端部１７ｂの係止部１７ｅ(内面１７ｄ)がアウターパネル６の外周縁６ａを抱持状態に係止することから、寸法誤差などが生じても前記第２シールリップ先端部１７ｂの突出量のばらつきをさらに抑制することができると共に、適正な突出量の位置に確実に保持することが可能になる。
【００３８】
これによって、第１実施形態と同じく、飛び石がアウターパネル６の外周縁部に衝突するのを効果的に抑制することができると共に、見栄えの向上を図ることができる。
〔第３実施形態〕
図４はロアーシール構造の第３実施形態を示し、ロアーシール１０の基本構造は第１実施形態と同様であるが、異なるところは、前記第２シールリップ１７の先端部１７ｂの内面１７ｄに、前記アウターパネル６の外周縁６ａより内側の内面に弾接する突起部１７ｆを一体に設けたものである。
【００３９】
これによって、インナーパネル５に対するロアーシール１０の取り付け時に、前記ロアーシール１０の組付誤差や各孔１４、１５ｃの寸法誤差などによって、ロアーシール１０全体が、上方あるいは下方へ位置ずれが生じたとしても、前述のように、折曲部１７ｃの開方向あるいは閉方向への変形を得て先端部１７ｂがアウターパネル６の外周縁６ａをほぼ均一かつ適正な突出量で覆う状態になる。また、これと同時に、先端部１７ｂの突起部１７ｆが矢印方向からアウターパネル６の外周縁６ａより内側の内面に弾接して係止することから、寸法誤差などが生じても前記第２シールリップ先端部１７ｂの突出量のばらつきをさらに抑制することができ、適正な突出量の位置に確実に保持することが可能になる。
【００４０】
この結果、飛び石がアウターパネル６の外周縁部に衝突するのを効果的に抑制することができると共に、見栄えの向上を図ることができる。
【００４１】
また、前記取付基部１５は、硬質のソリッドゴムなどからなる本体の外面全体が軟質なスポンジゴムによって覆われていることから、前記クリップ１３を各孔１４、１５ｃに挿通して脚部１３ａの係止部が係止孔１４の孔縁に係止した際に、クリップ頭部１３ｂが前記スポンジゴムの弾性反力を受けるため、前記脚部１３ａの係止孔１４孔縁への係止力が向上する。
【００４２】
前記各実施形態では、車両１のフロントドア２側について説明したが、図５の破線で示すように、リアドア３側にも前記ロアーシール１０が適用されている。したがって、リアドア３側も前記各実施形態と同様な作用効果が得られる。
【００４３】
また、各実施形態では、取付基部１５の外面全体をスポンジゴムで覆っているが、取付基部１５を硬質なソリッドゴム単体で形成することも可能である。
【符号の説明】
【００４４】
１…車両
２…フロントドア
３…リアドア
４…ドア本体
５…インナーパネル
６…アウターパネル
６ａ…外周縁(周縁部)
７…サイドシル
１０…ロアーシール
１２…空間部
１３…クリップ
１５…取付基部
１７…第２シールリップ
１７ａ…基端部
１７ｂ…先端部
１７ｃ…折曲部
１７ｄ…先端部内面
１７ｅ…係止部
１７ｆ…突起部
【図１】
2011152869.tif 000003
【図２】
2011152869.tif 000004
【図３】
2011152869.tif 000005
【図４】
2011152869.tif 000006
【図５】
2011152869.tif 000007